(57)【要約】【課題】地上の場所やカメラマンを要さず、設置コストも安い簡易なネットへのカメラの固定装置の提供。【解決手段】略垂直に張られたネットの裏面側にカメラ載置面が水平状態にて宛がわれる基盤と、前記ネットの裏面側からネットの編み目に係脱自在に係止するよう前記基盤のネット側縁に水平方向に間隔をおいて設けられた少なくとも一対の係止部を備えた下部係止手段と、前記基盤に一端が連結され他端が前記下部係止手段の上方のネットの編み目に係脱自在に係止する係止部を備え前記下部係止手段と協働してカメラ載置面を水平状態に維持する上部係止手段とを有することを特徴とする。【選択図】    図１
2004312649.tif 000002
【特許請求の範囲】
【請求項１】
略垂直に張られたネットの裏面側にカメラ載置面が水平状態にて宛がわれる基盤と、前記ネットの裏面側からネットの編み目に係脱自在に係止するよう前記基盤のネット側縁に水平方向に間隔をおいて設けられた少なくとも一対の係止部を備えた下部係止手段と、前記基盤に一端が連結され他端が前記下部係止手段の上方のネットの編み目に係脱自在に係止する係止部を備え前記下部係止手段と協働してカメラ載置面を水平状態に維持する上部係止手段とを有することを特徴とするカメラのネット固定装置。
【請求項２】
ネットは、カメラ載置面に載置されるカメラ正面側の編み目が撮影に悪影響を与えない範囲で切り抜かれた撮影口が設けられたことを特徴とする請求項１に記載のカメラのネット固定装置。
【請求項３】
撮影口をネット裏面側から塞ぐクリアパネルが基盤側に設けられたことを特徴とする請求項１又は請求項２に記載のカメラのネット固定装置。
【請求項４】
クリアパネルは、当該クリアパネルの下部がカメラ設置面に突設された複数の突起部間に横移動不能に置かれたことを特徴とする請求項２又は請求項３に記載のカメラのネット固定装置。
【請求項５】
クリアパネルは、当該クリアパネルの下部がカメラ載置面に回動自在に枢着され、不使用時にはカメラ載置面に重なることを特徴とする請求項２又は請求項３に記載のカメラのネット固定装置。
【請求項６】
上部係止手段は、ネットの編み目に係脱自在に係止する係止部と当該係止部と基盤とを繋ぐ鎖又は紐とで構成されたことを特徴とする請求項１乃至請求項５の何れかに記載のカメラのネット固定装置。
【請求項７】
クリアパネルは、当該クリアパネルの上部がネットの編み目に係止された状態の係止部に係脱自在に係止される構成としたことを特徴とする請求項６に記載のカメラのネット固定装置。
【請求項８】
基盤は、カメラ載置面に置かれたカメラの固定用ねじ穴に、当該基盤裏面からねじ込まれるカメラ固定用ねじを備えたことを特徴とする請求項１乃至請求項７の何れかに記載のカメラのネット固定装置。
【発明の詳細な説明】
【０００１】
【産業上の利用分野】
本発明は、バッティングセンターやゴルフ練習場等、ネットで囲まれて運動するスポーツにおいて、その運動状態の一瞬の姿勢や連続的姿勢を撮影するために、ネット際にセットされるカメラの固定装置に関する。
尚、本明細書でいうカメラとは、主として静止画像を撮影する写真機のみならず動画を撮影するビデオカメラやデジタルカメラ等の撮影機をも含む。
【０００２】
【従来の技術】
従来は、ネット際にカメラマンが位置するか、適当な位置に三脚を据えて撮影されていたのが一般的である。
【０００３】
【発明が解決しようとする課題】
しかし、ネット際に三脚を据えるのは、三脚自体が不安定な上、所要の設置場所を地上に必要とするため、危険でもあるし邪魔でもある。
又、カメラマンによる場合には、カメラマンの手配を要する上、人件費を要することになる。
【０００４】
本発明は、地上の場所やカメラマンを要さず、設置コストも安い簡易なネットへのカメラ固定装置の提供を目的とする。
【０００５】
【課題を解決するための手段】
請求項１のカメラの固定装置の発明は、略垂直に張られたネットの裏面側にカメラ載置面が水平状態にて宛がわれる基盤と、前記ネットの裏面側からネットの編み目に係脱自在に係止するよう前記基盤のネット側縁に水平方向に間隔をおいて設けられた少なくとも一対の係止部を備えた下部係止手段と、前記基盤に一端が連結され他端が前記下部係止手段の上方のネットの編み目に係脱自在に係止する係止部を備え前記下部係止手段と協働してカメラ載置面を水平状態に維持する上部係止手段とを有することを特徴とする。
【０００６】
請求項２の発明は、請求項１に記載のカメラのネット固定装置において、ネットは、カメラ載置面に載置されるカメラ正面側の編み目が撮影に悪影響を与えない範囲で切り抜かれた撮影口が設けられたことを特徴とする。
【０００７】
請求項３の発明は、請求項１又は請求項２に記載のカメラのネット固定装置において、撮影口をネット裏面側から塞ぐクリアパネルが基盤側に設けられたことを特徴とする。
【０００８】
請求項４の発明は、請求項２又は請求項３に記載のカメラのネット固定装置において、クリアパネルは、当該クリアパネルの下部がカメラ設置面に突設された複数の突起部間に横移動不能に置かれたことを特徴とする。
【０００９】
請求項５の発明は、請求項２又は請求項３に記載のカメラのネット固定装置において、クリアパネルは、当該クリアパネルの下部がカメラ載置面に回動自在に枢着され、不使用時にはカメラ載置面に重なることを特徴とする。
【００１０】
請求項６の発明は、請求項１乃至請求項５の何れかに記載のカメラのネット固定装置において、上部係止手段は、ネットの編み目に係脱自在に係止する係止部と当該係止部と基盤とを繋ぐ鎖又は紐とで構成されたことを特徴とする。
【００１１】
請求項７の発明は、請求項６に記載のカメラのネット固定装置において、クリアパネルは、当該クリアパネルの上部がネットの編み目に係止された状態の係止部に係脱自在に係止される構成としたことを特徴とする。
【００１２】
請求項８の発明は、請求項１乃至請求項７の何れかに記載のカメラのネット固定装置において、基盤は、カメラ載置面に置かれたカメラの固定用ねじ穴に、当該基盤裏面からねじ込まれるカメラ固定用ねじを備えたことを特徴とする。
【００１３】
【発明の実施の形態】
実施の形態１．
実施の形態１のカメラのネット固定装置は、略垂直に張られたネットの裏面側にカメラ載置面が水平状態にて宛がわれる基盤と、前記ネットの裏面側からネットの編み目に係脱自在に係止するよう前記基盤のネット側縁に水平方向に間隔をおいて設けられた少なくとも一対の係止部を備えた下部係止手段と、前記基盤に一端が連結され他端が前記下部係止手段の上方のネットの編み目に係脱自在に係止する係止部を備え前記下部係止手段と協働してカメラ載置面を水平状態に維持する上部係止手段とを有し、前記ネットは、カメラ載置面に載置されるカメラ正面側の編み目が撮影に悪影響を与えない範囲で切り抜かれた撮影口が設けられ、前記撮影口をネット裏面側から塞ぐクリアパネルが基盤側に設けられ、前記クリアパネルは、当該クリアパネルの下部がカメラ設置面に突設された複数の突起部間に横移動不能に置かれ、前記上部係止手段は、ネットの編み目に係脱自在に係止する係止部と当該係止部と基盤とを繋ぐ鎖又は紐とで連結され、前記クリアパネルは、当該クリアパネルの上部がネットの編み目に係止された状態の係止部に係脱自在に係止され、前記基盤は、カメラ載置面に置かれたカメラの固定用ねじ穴に、当該基盤裏面からねじ込まれるカメラ固定用ねじを備えた構成としたものである。
【００１４】
以下、本発明を図１及び図２に示す実施例に基づいて説明する。
図１は実施の形態１のカメラのネット固定装置の斜視図、図２はその側面図である。
図１及び図２において、符号の１は、被撮影者であるプレーヤを囲むように張られた安全ネット（以下、ネットという）であり、図示のネット部分は、略垂直に張られたネット部分である。
【００１５】
このネット１には、ネット１の内側でのプレー内容に応じた最適な撮影位置側に、ネット１の外側即ち裏面側に設置されたカメラ視線をネット１の編み目が妨げとなって撮影に悪影響を与えない範囲で編み目が切り抜かれた撮影口１１が設けられている。
尚、カメラ視線を妨げない編み目のネット（図示せず）であれば、このような撮影口１１は必ずしも開設する必要はない。
【００１６】
この撮影口１１より下方のネット部分の編み目に臨むよう、当該ネット１の裏面側から、カメラが装置される水平な上面即ちカメラ載置面２１を備えた基盤２が水平状態にて宛がわれる。
この基盤２のネット１側の縁（以下、ネット側縁２２という）には、水平方向に間隔をおいて設けられた２つの係止部２３、２３を一対として備えた下部係止手段２４が設けられている。
この実施例に示す係止部２３、２３は、何れも、ネット側縁２２の両端側から各々ネット１の編み目をくぐってネット１の内側に延在し、当該ネット１の水平な１本の網綱に係脱自在に係止する爪形に形成されている。
尚、このような係止部２３としての爪は２本に限らず、３本以上設けてもよい。又、係止部２３は爪形に限らず適当な鉤形であってもよい。
【００１７】
他方、この基盤２のネッ１縁と反対側方向の端縁側（以下、後縁側ともいう）には、当該基盤２に一端が連結され、他端が前記の下部係止手段２４の上方のネット１の編み目部分、例えば、撮影口１１の上辺側の編み目をくぐってネット１の内側に延在し、編み目を構成する１本の水平な網綱に係脱自在に係止する爪を係止部２５、２５として備えた上部係止手段２６、２６が設けられている。
この上部係止手段２６、２６は、前記の下部係止手段２４、２４と協働して、基盤２のカメラ載置面２１を水平状態に維持する。即ち、カメラ載置面２１が水平となるように係止部２５、２５を適当な高さ位置の網綱に係止する。尚、この係止部２５も爪形に限らず適当な鉤形であってもよい。
【００１８】
図示の係止部２５、２５は鎖２７を介して基盤２に連結されているが、紐（図示せず）であってもよい。このような鎖２７や紐等の柔軟な連結部材を用いることによって、不使用時の固定装置をコンパクトに収納することができる。
又、鎖２７や紐等の柔軟な連結部材に変えて、伸縮ロッド（図示せず）等の合成の連結部材を用いてもよい。
【００１９】
ネット１に開設された撮影口１１には、打球がネット裏に飛び出さないよう、当該撮影口１１をネット１の裏面側から塞ぐように、クリアパネル３が設けられている。勿論、このパネルは撮影に悪影響のある素材のものであってはならない。
図示のクリアパネル３は、方形に整形されており、その下部即ち下辺がカメラ設置面２１に設けられた基盤側固定手段に横方向移動が不能にして、着脱自在に係止されている。
図示の基盤側固定手段は、基盤２の表面側即ちカメラ載置面２１側に突設された複数の突起部２８、２９からなり、これらの突起部２８、２９間に横移動不能に置かれている。
即ち、置かれたクリアパネル３より撮影口１１側の基盤２には一方の突起２８部が、クリアパネル３より基盤２の後縁側には他方の突起部２９が各々配設され、両突起部２８、２９間を丁度クリアパネル１の厚みに相応する間隔として、この間隔にクリアパネル３が上方から着脱自在に差し込まれる構成となっている。
【００２０】
他方、クリアパネル３の上部（上辺）は、「へ」の字状に形成された係止部２５、２５の内側即ち下方に向いた窪みにて係脱自在に保持されている。
従って、このクリアパネル３は、不使用時には、基盤２及び上部係止手段２６、２６と容易に分離することができ、固定装置の収納スペースを小さくすることができる。又、使用に際しての組み付けも、特段の道具を用いずして、極めて容易に行うことができる。
尚、クリアパネル３の係止部２５への係止は、係脱自在であれば他の適当な手段を用いてもよい。
【００２１】
図２において、基盤２は、単純な平板状の部材でよく、当該基盤２の裏面側には、カメラ載置面２１に置かれたカメラ４の固定用ねじ穴に、基盤２をその裏面から貫通してねじ込まれるカメラ固定用ねじ４１を配設してある。
従って、この固定装置には、プレーヤが持参してきた自前のカメラ４を設置することもできるし、バッティングセンターやゴルフ練習場の経営者側が予めカメラ４を設置しておき、プレーヤには撮影用に借用させるようにすることもできる。尚、カメラ固定用ねじ４１は、殆ど全てのカメラに用いられる汎用の固定用ねじを用いるとよい。
【００２２】
実施の形態２．
上記実施の形態１のカメラの固定装置では、クリアパネル３は基盤２及び上部係止手段２６、２６と分離可能に構成してあるが、これに限らず、例えば、上記固定装置において、クリアパネル３の下部をカメラ載置面２１に回動自在に枢着し、不使用時にはカメラ載置面２１に重なるように構成することもできる（図示せず）。
【００２３】
実施の形態３．
上記実施の形態１及び２では、ネット１に撮影口１１を開設しているが、ネット１の編み目や網綱の材質や形態によっては、撮影に悪影響を及ぼさない場合もある。
このような場合には、必ずしも、ネット１に撮影口１１を設ける必要はない（図示せず）。
しかし、このような場合でも、上記のクリアパネル３を設けておくと、打球が直接カメラ４に衝突することを阻止することができる。
【００２４】
【発明の効果】
請求項１乃至請求項８の発明によれば、何れも、地上の場所やカメラマンを要さず、ネット際への設置コストが安く、容易に装着脱が可能な簡易なカメラ固定装置を提供することができる。
【００２５】
請求項３乃至請求項５の発明によれば、何れも、撮影口がクリアパネルで塞がれているので、打球がネット外に飛び出す危険を阻止することができる。
又、撮影口の有無にかかわらず、打球がカメラに直接衝突することを阻止することができる。
【００２６】
請求項６及び請求項７の発明によれば、何れも、不使用時には固定装置をコンパクト化することができ、収納スペースを小さくすることができる。
【００２７】
請求項８の発明によれば、固定装置をネットに装着して置き、プレーヤは自前のカメラにて自分のプレーを撮影することができる。
【図面の簡単な説明】
【図１】実施の形態１のカメラのネット固定装置の斜視図である。
【図２】実施の形態１のカメラのネット固定装置の側面図である。
【符号の説明】
１  ネット、                          １１  撮影口
２  基盤、                            ２１  カメラ載置面
２２  ネット側縁（基盤）              ２３  係止部（下部係止手段）
２４  下部係止手段、                  ２５  係止部（上部係止手段）
２６  上部係止手段、                  ２７  鎖、
３  クリアパネル、
４  カメラ、                          ４１  カメラ固定用ねじ。
【図１】
2004312649.tif 000003
【図２】
2004312649.tif 000004